(57)【要約】      （修正有）【課題】ターボファンエンジン吸込みガラス粉末付着防止装置を提供する。【解決手段】火山噴煙のガラス粉末吸い込み分を、１００万分の１秒高速度カメラで把えたカメラ映像に対応した振動試験の加振機６とその運用の振動試験装置（サーボ振動試験装置）７により、ファン１から圧縮機２を経由して、燃焼室３で溶けてタービン４、排気口５に付着するのを防止する。【選択図】図１
0003167457.tif 000002
【実用新案登録請求の範囲】
【請求項１】
振動数変化範囲５〜２０００Hz複振幅特性１０ｍｍ加速度特性最大２０ｇを装備位置ターボファンエンジンの燃焼室、タービン、排気口の振動試験等級と条件としての振動試験の加振機と振動試験装置（サーボ振動試験装置）を具備した構成の航空機エンジンガラス粉末付着防止装置。
【請求項２】
１００万分の１秒高速度カメラを具備した事を特徴とする請求項１記載の航空機エンジンガラス粉末付着防止装置。
【考案の詳細な説明】
【技術分野】
【０００１】
本考案は、従来の航空機装備位置による振動試験装置に属する航空機エンジンガラス粉末付着防止装置に関する。
【背景技術】
【０００２】
ターボエンジン機の胴体（５〜２０００Hｚ、０．５ｍｍ、最大３ｇ）計器板および防振ラック（５〜２０００Hz、０．２５ｍｍ、最大０．２５ｇ）胴体装置の機器ラック（５〜５５Hz又は５５〜２０００Hz、０．２５ｍｍ複振幅特性、最大１．５g又は０．２５ｇ）エンジンナセルおよびマウント（５〜３５０Hｚ、３５０〜２０００Hz、０．７５ｍｍ、０．０２mm最大５g最大１０ｇ）翼および尾翼脚格納室(５〜２０００Hz,０．９２ｍｍ、最大１０ｇ)が振動等級と条件としてあります。
【考案の概要】
【考案が解決しようとする課題】
【０００３】
しかしながら、アイスランドピナツボ火山の噴火による噴煙に含まれるガラス粉末は、ターボエンジン機のターボファンエンジンの燃焼室からタービンそして排気口に付着するという欠点がある。
【０００４】
本考案は、上記実情に鑑みてなされたものであり、ターボファンエンジンの燃焼室からタービンそして排気口にガラス粉末付着防止装置としている。
【課題を解決するための手段】
【０００５】
上記目的を達成するため考案は、ターボファンエンジンの燃焼室からタービンそして排気口にガラス粉末付着対策として次の構成を含むことを特徴としている。
振動数変化範囲５〜２０００Hz複振幅特性１０ｍｍ加速度特性最大２０ｇを装備位置ターボファンエンジンの燃焼室・タービン排気口の振動試験等級と条件としての振動試験の加振機と振動試験装置を具備した構成である。更に運用としての１００万分の１秒高速度カメラを備えたカメラ映像対応のサーボ振動試験装置を具備した構成である。
【考案の効果】
【０００６】
本考案により、アイスランドピナツボ火山噴火噴煙公害としてのガラス粉末のターボエンジンの燃焼室からタービンそして排気口への付着防止ができる。
【図面の簡単な説明】
【０００７】
【図１】本考案の航空機エンジンガラス粉末付着防止装置である。
【考案を実施するための形態】
【０００８】
本考案の実施の形態の一例について、図面を参照しながら説明する。
航空機エンジンガラス粉末付着防止装置は図１に示すように、ファン１、で吸い込んだガラス粉末が圧縮機２、を経由して、燃焼室３、タービン４、排気口５、に溶けて付着するので、振動試験の加速機６、により振動試験装置（サーボ振動試験装置）７、の運用で、付着場所（箇処）の状態変化により防止する。
【符号の説明】
【０００９】
１．ファン
２．圧縮機
３．燃焼室
４．タービン
５．排気口
６．振動試験の加振機
７．振動試験装置（サーボ振動試験装置）
【図１】
0003167457.tif 000003
【手続補正書】
【提出日】平成22年6月30日(2010.6.30)
【手続補正１】
【補正対象書類名】明細書
【補正対象項目名】全文
【補正方法】変更
【補正の内容】
【考案の詳細な説明】
【技術分野】
【０００１】本考案は、従来の航空機振動発生箇処に対応する振動試験装置に属する航空機エンジンガラス粉末防止装置に関する。
【背景技術】
【０００２】ターボエンジン機の胴体（５〜２０００Hｚ、０．５ｍｍ、最大３Ｇ）計器板および防振ラック（５〜２０００Hz、０．２５ｍｍ、最大０．２５Ｇ）胴体装置の機器ラック（５〜５５Hz又は５５〜２０００Hz、０．２５ｍｍ複振幅特性、最大１．５Ｇ又は０．２５Ｇ）エンジンナセルおよびマウント（５〜３５０Hｚ、３５０〜２０００Hz、０．７５ｍｍ、０．０２mm最大５Ｇ最大１０Ｇ）翼および尾翼・脚格納室(５〜２０００Hz,０．９２ｍｍ、最大１０Ｇ)が振動等級と条件としてあります。
【考案の概要】
【考案が解決しようとする課題】
【０００３】しかしながら、アイスランドピナツボ火山の噴火による噴煙に含まれるガラス粉末は、ターボエンジン機のターボファンエンジンの燃焼室からタービンそして排気口に付着するという欠点がある。【０００４】  本考案は、上記実情に鑑みてなされたものであり、ターボファンエンジンの燃焼室からタービンそして排気口にガラス粉末付着防止装置としている。
【課題を解決するための手段】
【０００５】上記目的を達成するため考案は、ターボファンエンジンの燃焼室からタービンそして排気口にガラス粉末付着対策として次の構成を含むことを特徴としている。振動数変化範囲５〜２０００Hz複振幅特性１０ｍｍ加速度特性最大２０Ｇを振動発生箇処ターボファンエンジンの燃焼室・タービン排気口の振動試験等級と条件としての振動試験の加振機と振動試験装置を具備した構成である。更に運用としての１００万分の１秒高速度カメラを備えたカメラ映像対応のサーボ振動試験装置を具備した構成である。
【考案の効果】
【０００６】本考案により、アイスランドピナツボ火山噴火噴煙公害としてのガラス粉末のターボエンジンの燃焼室からタービンそして排気口への付着防止ができる。
【図面の簡単な説明】
【０００７】
【図１】本考案の航空機エンジンガラス粉末付着防止装置である。航空機エンジンガラス粉末付着防止装置は図１に示すように、ファン１、圧縮機２、燃焼室３、タービン４、排気口５、振動試験の加速機６、振動試験装置（サーボ振動試験装置）７、１００万分の１秒高速度カメラ８、であります。
【考案を実施するための形態】
【０００８】本考案の実施の形態の一例について、図面を参照しながら説明する。航空機エンジンガラス粉末付着防止装置は図１に示すように、ファン１、で吸い込んだガラス粉末が圧縮機２、を経由して、燃焼室３、タービン４、排気口５、に溶けて付着するので、振動試験の加速機６、により振動試験装置（サーボ振動試験装置）７、の運用を１００万分の１秒高速度カメラ８、により情報化して付着場所（箇処）の状態変化作りにより防止する。
【符号の説明】
【０００９】      １．ファン      ２．圧縮機      ３．燃焼室      ４．タービン      ５．排気口      ６．振動試験の加振機      ７．振動試験装置（サーボ振動試験装置）      ８．１００万分の１秒高速度カメラ
【手続補正２】
【補正対象書類名】実用新案登録請求の範囲
【補正対象項目名】全文
【補正方法】変更
【補正の内容】
【実用新案登録請求の範囲】
【請求項１】
ターボファンエンジンの燃焼室・タービン・排気口におけるガラス粉末吸い込み対策の振動試験の等級と条件を定めて振動数変化範囲５〜２０００Hz複振幅特性１０ｍｍ加速度特性最大２０Ｇの振動試験の加振機と振動試験装置（サーボ振動試験装置）を具備した構成の航空機エンジンガラス粉末付着防止装置。
【請求項２】
ガラス粉末付着防止対策の振動試験の等級と条件を定めるための情報化を計る１００万分の１秒高速度カメラを具備した事を特徴とする請求項１記載の航空機エンジンガラス粉末付着防止装置。
【手続補正３】
【補正対象書類名】図面
【補正対象項目名】全図
【補正方法】変更
【補正の内容】
【図１】
0003167457.tif 000004
【手続補正書】
【提出日】平成22年9月3日(2010.9.3)
【手続補正１】
【補正対象書類名】明細書
【補正対象項目名】全文
【補正方法】変更
【補正の内容】
【考案の詳細な説明】
【技術分野】
【０００１】本考案は、従来の航空機振動発生箇処に対応する振動試験装置に属する航空機エンジンガラス粉末防止装置とした航空機エンジン。
【背景技術】
【０００２】ターボエンジン機の胴体（５〜２０００Hｚ、０．５ｍｍ、最大３Ｇ）計器板および防振ラック（５〜２０００Hz、０．２５ｍｍ、最大０．２５Ｇ）胴体装置の機器ラック（５〜５５Hz又は５５〜２０００Hz、０．２５ｍｍ複振幅特性、最大１．５Ｇ又は０．２５Ｇ）エンジンナセルおよびマウント（５〜３５０Hｚ、３５０〜２０００Hz、０．７５ｍｍ、０．０２mm最大５Ｇ最大１０Ｇ）翼および尾翼・脚格納室(５〜２０００Hz,０．９２ｍｍ、最大１０Ｇ)が振動等級と条件としてあります。
【考案の概要】
【考案が解決しようとする課題】
【０００３】しかしながら、アイスランドピナツボ火山の噴火による噴煙に含まれるガラス粉末は、ターボエンジン機のターボファンエンジンの燃焼室からタービンそして排気口に付着するという欠点がある。【０００４】  本考案は、上記実情に鑑みてなされたものであり、ターボファンエンジンの燃焼室からタービンそして排気口にガラス粉末付着防止装置とした航空機エンジン。
【課題を解決するための手段】
【０００５】上記目的を達成するため考案は、ターボファンエンジンの燃焼室からタービンそして排気口にガラス粉末付着対策として次の構成を含むことを特徴としている。振動数変化範囲５〜２０００Hz複振幅特性１０ｍｍ加速度特性最大２０Ｇを振動発生箇処ターボファンエンジンの燃焼室・タービン排気口の振動試験等級と条件としての振動試験の加振機と振動試験装置を具備した構成である。更に運用としての１００万分の１秒高速度カメラを備えたカメラ映像対応のサーボ振動試験装置を具備した構成である。
【考案の効果】
【０００６】本考案により、アイスランドピナツボ火山噴火噴煙公害としてのガラス粉末のターボエンジンの燃焼室からタービンそして排気口への付着防止ができる。
【図面の簡単な説明】
【０００７】
【図１】本考案の航空機エンジンガラス粉末付着防止装置とした航空機エンジンである。航空機エンジンガラス粉末付着防止装置とした航空機エンジンは図１に示すように、ファン１、圧縮機２、燃焼室３、タービン４、排気口５、振動試験の加振機６、振動試験装置（サーボ振動試験装置）７、１００万分の１秒高速度カメラ８、であります。
【考案を実施するための形態】
【０００８】本考案の実施の形態の一例について、図面を参照しながら説明する。航空機エンジンガラス粉末付着防止装置とした航空機エンジンは図１に示すように、ファン１、で吸い込んだガラス粉末が圧縮機２、を経由して、燃焼室３、タービン４、排気口５、に溶けて付着するので、振動試験の加振機６、により振動試験装置（サーボ振動試験装置）７、の加振・振動でふるい落とす運用を１００万分の１秒高速度カメラ８、により情報化して付着場所（箇処）の状態変化作りにより防止する。
【符号の説明】
【０００９】      １．ファン      ２．圧縮機      ３．燃焼室      ４．タービン      ５．排気口      ６．振動試験の加振機      ７．振動試験装置（サーボ振動試験装置）      ８．１００万分の１秒高速度カメラ
【手続補正２】
【補正対象書類名】実用新案登録請求の範囲
【補正対象項目名】全文
【補正方法】変更
【補正の内容】
【実用新案登録請求の範囲】
【請求項１】
ターボファンエンジンの燃焼室・タービン・排気口におけるガラス粉末吸い込み対策の振動試験の等級と条件を定めて振動数変化範囲５〜２０００Hz複振幅特性１０ｍｍ加速度特性最大２０Ｇの振動試験の加振機と振動試験装置（サーボ振動試験装置）を具備した構成の航空機エンジンガラス粉末付着防止装置とした航空機エンジン。
【請求項２】
ガラス粉末付着防止対策の振動試験の等級と条件を定めるための情報化を計る１００万分の１秒高速度カメラを具備した事を特徴とする請求項１記載の航空機エンジンガラス粉末付着防止装置とした航空機エンジン。
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
ターボファンエンジンの燃焼室・タービン・排気口におけるガラス粉末吸い込み対策の振動試験の等級と条件を定めて振動数変化範囲５〜２０００Hｚ福振幅特性１０ｍｍ加速度特性最大２０Gの振動試験の加振機を対策箇処に設置し加振・振動でふるい落とす、その近くにフィードバック機能を有したシステムとして設けた振動試験装置（サーボ振動試験装置）を具備した構成の航空機エンジンガラス粉末付着防止装置付きとした航空機エンジン。
【請求項２】
ガラス粉末付着防止対策の振動試験の等級と条件を定めるために対策箇処の情報化を計る１００万分の１秒高速度カメラを具備した事を特徴とする請求項１記載の航空機エンジンガラス粉末付着防止装置付きとした航空機エンジン。
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
ターボファンエンジンの燃焼室・タービン・排気口におけるガラス粉末吸い込み対策の振動試験の等級と条件を定めて振動数変化範囲５〜２０００Hｚ複振幅特性１０ｍｍ加速度特性最大２０Gの振動試験の加振機を対策箇処に設置し加振振動でふるい落とす、それをシステムの一部として有する振動試験装置を航空機エンジンガラス粉末付着防止として具備した航空機エンジン。
【請求項２】
ガラス粉末付着防止対策の振動試験の等級と条件を定めるために振動試験装置システムの一部である加振機設置の対策箇処の情報化を計る100万分の１秒高速度カメラを具備した事を特徴とする請求項１記載の航空機エンジンガラス粉末付着防止付きとした航空機エンジン。
【手続補正書】
【提出日】平成23年2月23日(2011.2.23)
【手続補正１】
【補正対象書類名】実用新案登録請求の範囲
【補正対象項目名】全文
【補正方法】変更
【補正の内容】
【実用新案登録請求の範囲】
【請求項１】
ターボファンエンジンの燃焼室・タービン・排気口におけるガラス粉末吸い込み対策の振動試験の等級と条件を定めて振動数変化範囲５〜２０００Hｚ複振幅特性１０ｍｍ加速度特性最大２０Gの振動試験を行う振動試験装置を構成するの加振機を対策箇処に設置し、加振・振動でふるい落とすため航空機塔載の振動試験装置を航空機エンジンガラス粉末付着防止として具備した航空機エンジン。
【請求項２】
ガラス粉末付着防止対策の振動試験の等級と条件を定めるために振動試験装置システムの一部である加振機設置の対策箇処のガラス粉末をふるい落とす加振・振動の観察のための情報化を計る100万分の１秒高速度カメラをＴ、Ｖ、監視カメラとして具備した事を特徴とする請求項１記載の航空機エンジンガラス粉末付着防止付きとした航空機エンジン。